(57)【要約】【課題】低コストで凍結防止ができる、給水装置及び給水装置の制御方法を提供する。【解決手段】本発明の一形態にかかる給水装置は、複数のポンプと、前記ポンプの温度が所定の第１閾値未満である低温ポンプを運転する、凍結防止処理を行うとともに、複数の前記ポンプの運転状況に基づき、前記凍結防止処理において前記運転中ポンプを停止して前記運転中ポンプと前記停止ポンプを入れ替えるポンプ入替処理を行う、制御部と、を備える。【選択図】図２
2020139479.tif 000002
【特許請求の範囲】
【請求項１】
複数のポンプと、
前記ポンプの温度が所定の第１閾値未満である低温ポンプを運転する、凍結防止処理を行うとともに、前記凍結防止処理において、停止していた低温ポンプを起動する場合に、複数の前記ポンプの運転状況に基づき、運転中ポンプがある場合に前記運転中ポンプを停止して前記運転中ポンプと停止ポンプを入れ替えるポンプ入替処理を行う、制御部と、
を備える、給水装置。
【請求項２】
前記制御部は、停止ポンプと運転中ポンプとがあり、前記停止ポンプの温度が第１閾値未満であり、前記運転中ポンプの温度が前記第１閾値よりも高く設定された第２閾値以上である場合に、前記ポンプ入替処理を行う、請求項１に記載の給水装置。
【請求項３】
前記制御部は、温度が前記第１閾値未満となる前記低温ポンプ以外に、通常運転中あるいは凍結防止運転中のポンプが無い場合には、凍結防止処理において、一定周波数で凍結防止運転するとともに、第１閾値よりも高い第２閾値以上となった場合に前記凍結防止運転を終了する、請求項１に記載の給水装置。
【請求項４】
前記制御部は、目標圧力一定制御にて通常運転を行うとともに、
前記凍結防止処理において、前記低温ポンプ以外に、通常運転中あるいは凍結防止運転中のポンプがある場合には、前記ポンプ入替処理を行い、ポンプ入替処理前の前記運転中ポンプの運転条件に対応する条件で、ポンプ入替処理後の前記低温ポンプを運転する、請求項１乃至３のいずれかに記載の給水装置。
【請求項５】
前記凍結防止処理における運転周波数は、通常運転における小水停止周波数を上限とする、請求項１乃至４のいずれかに記載の給水装置。
【請求項６】
前記制御部は、目標圧力一定制御にて通常運転を行うとともに、前記凍結防止処理中に前記通常運転の制御を優先する、請求項１乃至５のいずれかに記載の給水装置。
【請求項７】
前記運転中ポンプの温度が前記第１閾値よりも高く設定された第２閾値未満である場合に、前記ポンプ入替処理の前に、前記運転中ポンプの運転周波数を上げるプレ入替運転を行う、請求項１乃至６のいずれかに記載の給水装置。
【請求項８】
前記プレ入替運転において、目標圧力一定制御に変更し、あるいは所定の割合で周波数を増加させて、前記運転中ポンプを運転する、請求項７に記載の給水装置。
【請求項９】
前記運転中ポンプが複数台ある場合に、温度の高いポンプから順番に停止して前記ポンプ入替処理を行う、請求項１乃至８のいずれかに記載の給水装置。
【請求項１０】
停止中の低温ポンプが複数ある場合に、温度の低いポンプから順番に起動する、請求項１乃至９のいずれかに記載の給水装置。
【請求項１１】
複数の前記ポンプ内の水の温度を直接的または間接的に検出する温度検出部が前記ポンプ毎に、設けられる、請求項１乃至１０のいずれかに記載の給水装置。
【請求項１２】
前記温度検出部は、前記複数のポンプに接続されたインバータに搭載される、請求項１乃至１１のいずれかに記載の給水装置。
【請求項１３】
複数のポンプと、
前記複数のポンプに接続されたインバータに搭載され、複数の前記ポンプの温度を間接的に検出する温度検出部と、
前記ポンプの検出温度に基づき、検出温度が所定の第１閾値未満である低温ポンプを運転する、凍結防止処理を行う給水装置。
【請求項１４】
複数のポンプの温度を直接的または間接的に検出し、
前記ポンプの検出温度に基づき、検出温度が所定の第１閾値未満である低温ポンプを運転する、凍結防止処理を行うとともに、前記凍結防止処理において、停止していた低温ポンプを起動する場合に、複数の前記ポンプの運転状況に基づき、運転中ポンプがある場合に前記運転中ポンプを停止して前記運転中ポンプと停止ポンプを入れ替えるポンプ入替処理を行う、給水装置の制御方法。
【発明の詳細な説明】
【技術分野】
【０００１】
本発明は、複数のポンプ装置を備える給水装置及び給水装置の制御方法に関する。
【背景技術】
【０００２】
給水装置において、ポンプ装置や流路の温度が低下した場合に、ポンプ装置を運転することで、配管内の水の凍結を防止するものが知られている。また、配管にヒータを設置し、ヒータにより配管の温度を上昇させて凍結を防止する技術も知られている。
【先行技術文献】
【特許文献】
【０００３】
【特許文献１】特開平１０−１６９５６８号公報
【発明の概要】
【発明が解決しようとする課題】
【０００４】
このような給水装置において、複数のポンプ装置を備えるものがある。ポンプ装置の台数や凍結防止運転の条件によっては消費電力が多くなる。一方で、凍結防止のためにヒータ等の加熱装置を用いる構成は、製造コストが増加する。
【０００５】
したがって、低コストで凍結防止できる、給水装置及び給水装置の制御方法が求められている。
【課題を解決するための手段】
【０００６】
本発明の一形態にかかる給水装置は、複数のポンプと、前記ポンプの温度が所定の第１閾値未満である低温ポンプを運転する、凍結防止処理を行うとともに、複数の前記ポンプの運転状況に基づき、前記凍結防止処理において前記運転中ポンプを停止して前記運転中ポンプと前記停止ポンプを入れ替えるポンプ入替処理を行う、制御部と、を備える。
【発明の効果】
【０００７】
本発明によれば、低コストで凍結防止できる、給水装置及び給水装置の制御方法を提供できる。
【図面の簡単な説明】
【０００８】
【図１】第１実施形態にかかる給水装置の構成を示す説明図。
【図２】同給水装置の動作を示す説明図。
【図３】同給水装置の動作を示す説明図。
【図４】同給水装置の動作を示す説明図。
【図５】他の実施形態にかかる給水装置の構成を示す説明図。
【図６】他の実施形態にかかる給水装置の構成を示す説明図。
【発明を実施するための形態】
【０００９】
以下、本発明の一実施の形態に係る給水装置について、図１乃至図４を用いて説明する。図１は給水装置の構成を示すブロック図であり、図２乃至図４は給水装置の動作を示す説明図である。なお、説明のため、各図において適宜構成を省略して示している。
【００１０】
図１に示すように、給水装置１０は、複数のポンプ装置１２Ａ，１２Ｂと、圧力検出部としての圧力センサ１３と、流量検出部としての流量センサ１４Ａ，１４Ｂと、各ポンプ装置１２Ａ，１２Ｂに接続された複数のインバータ１５Ａ，１５Ｂと、温度検出部としての温度センサ１６Ａ，１６Ｂと、制御部１７及び記憶部１８を備える制御盤１９と、を備える。一例として、給水装置１０は２台のポンプ装置１２Ａ，１２Ｂを備える。
【００１１】
複数のポンプ装置１２は、モータ２１と、モータ２１に接続されたインペラを有するポンプ部２２と、を備える。ポンプ装置１２は例えば所定の設置箇所に設けられたベース上に設置される。ポンプ装置１２は例えば遠心ポンプであり、流体を増圧して二次側に圧送する。
【００１２】
モータ２１はケーブルによって制御盤１９に接続される。モータ２１はインバータ１５を介して制御盤１９内の制御基板に接続され、制御基板に搭載された制御部１７の制御によって回転数制御される。
【００１３】
ポンプ部２２は、例えば１以上のインペラと、ポンプ吸込口及びポンプ吐出口を備えるケーシングと、を備える。
【００１４】
ポンプ装置１２は、モータ２１の回転に伴ってインペラが回転することにより、水道配管に接続されたポンプ吸込口から液体を吸込み、給水先に接続されるポンプ吐出口から吐出する。複数のポンプ装置１２の一次側は吸込管を介して水道配管、井戸または受水槽等に接続される。
【００１５】
複数のポンプ装置１２のポンプ吐出口の二次側には複数の個別吐出管と、複数の個別吐出管を合流する吐出連結管とを備える吐出配管が設けられている。吐出配管は例えば給水先の、例えば水道装置に接続される。
【００１６】
圧力センサ１３Ａ，１３Ｂは、複数のポンプ装置１２Ａ，１２Ｂの二次側に接続される吐出配管において、例えば、合流管に設けられる。圧力センサ１３は、例えばダイヤフラム式のセンサであり、各ポンプ装置１２Ａ，１２Ｂの二次側の流路の圧力を検出する。圧力センサ１３は、信号線を介して制御盤１９の制御部１７に接続され、検出した圧力信号を制御部１７に送信する。
【００１７】
流量センサ１４Ａ，１４Ｂは、各ポンプ装置１２Ａ，１２Ｂの二次側の吐出配管における個別吐出管の所定箇所に設けられている。流量センサ１４Ａ，１４Ｂは、例えば磁石が設けられたパドル等を備え、磁石が近接された場合にホールＩＣ等にて流量検出を行う近接式センサである。流量センサ１４Ａ，１４Ｂは、信号線を介して制御部１７に接続され、検出した流量信号を制御部１７に送信する。
【００１８】
複数のインバータ１５Ａ，１５Ｂは、信号線によってポンプ装置１２Ａ、１２Ｂのモータ２１にそれぞれ電気的に接続されている。各インバータ１５Ａ，１５Ｂは制御部１７からの制御信号に応じた所定の周波数を出力することで、接続されたポンプ装置１２Ａ、１２Ｂのモータ２１Ａ，２１Ｂをそれぞれ所定の回転速度で回転させる。
【００１９】
各インバータ１５Ａ，１５Ｂには、各インバータ１５Ａ，１５Ｂの温度を検出する温度センサ１６Ａ，１６Ｂが設けられている。
【００２０】
温度センサ１６Ａ，１６Ｂは、インバータ内の温度を検出することで停止時の外気温を想定することができる。よって、検出した温度からポンプ内の水の温度を推定することが可能である。本実施形態においては、応用例としては、水温をインバータとは別の温度センサを用いることもできる。温度センサ１６Ａ，１６Ｂは、例えばサーミスタである。温度センサ１６Ａ，１６Ｂは、制御部１７に接続され、検出した温度情報を信号に変換して制御部１７に送る。
【００２１】
制御盤１９は、記憶部１８や制御部１７等の各種制御機器が搭載された回路基板を備える。また、制御盤１９には漏電遮断器、直流リアクトル、電源端子台、ノイズフィルタ等の、各種制御機器や表示装置が設けられている。
【００２２】
制御部１７は例えばプロセッサを備える。制御部１７は、流量センサ１４Ａ，１４Ｂや圧力センサ１３、温度センサ１６Ａ，１６Ｂ等の各種検出装置によって検知した情報に基づき、予め記憶部１８に記憶された各種プログラムに従って、複数のポンプ装置１２Ａ，１２Ｂの動作を制御する。具体的には、制御部１７は、インバータ１５Ａ，１５Ｂに制御信号を送信し各ポンプ装置１２Ａ．１２Ｂに対応するインバータ１５Ａ，１５Ｂを制御する。
【００２３】
例えば制御部１７は、各種センサによって検出される検出値に基づき、各種の演算処理を行い、インバータ１５Ａ、１５Ｂの周波数制御により、ポンプ装置１２Ａ，１２Ｂのモータ２１を変速運転し、または停止させる。具体的には、制御部１７は、圧力センサ１３で検出される吐出圧力が所定の目標圧力になるように、回転数制御及び運転停止制御を行い、吐出圧力一定制御、推定末端圧力一定制御などの、圧力フィードバック制御をする。例えば通常運転制御として、また、制御部１７は、ポンプ装置１２Ａ，１２Ｂの停止中あるいは運転中に、ポンプ装置１２Ａ，１２Ｂの温度に基づいて凍結防止運転を行わせる凍結防止制御をする。
【００２４】
記憶部１８は、例えばプログラムメモリやＲＡＭ、書き換え可能なＲＯＭを備える記憶装置である。記憶部１８には、例えば、制御に必要な情報として、各種プログラム、算出式、データテーブル、基準値、閾値等が記憶されている。
【００２５】
例えば第１閾値Ｔ１は、停止しているポンプ装置の凍結を防止するために、凍結防止運転を開始する温度である。例えば第１閾値Ｔ１は、氷点以上である。例えば水源が井戸の場合には井戸水の水温よりも低い温度に設定される。
【００２６】
第２閾値Ｔ２は凍結防止運転を終了する温度である。第２閾値Ｔ２は第１閾値Ｔ１よりも高い温度に設定される。例えば第２閾値Ｔ２は、第１閾値Ｔ１よりも数℃高い温度に設定される。
【００２７】
また、凍結防止運転における上限周波数として、通常運転における小水停止時の周波数（小水停止周波数）が記憶部１８に予め記憶されている。
【００２８】
次に、本実施形態にかかる給水装置１０の制御方法について、説明する。
【００２９】
制御部１７は、流量センサ１４Ａ，１４Ｂや圧力センサ１３等の各種検出装置で検出した圧力値及び流量値を検出し、流量や圧力に基づき、吐出圧力一定制御や推定末端圧一定制御などの目標圧力一定制御により通常運転制御を行う。制御部１７は、各インバータ１５Ａ，１５Ｂに制御信号を出力することで、ポンプ装置１２Ａ，１２Ｂを駆動する。
【００３０】
制御部１７はさらに、温度センサ１６Ａ、１６Ｂで検出される温度情報に基づき、凍結防止処理を行う。凍結防止処理として、制御部１７は、検出温度が第１閾値Ｔ１を下回る低温ポンプについて、低温ポンプを運転する。凍結防止処理において、例えば低温ポンプが停止中であった場合には起動して凍結防止運転を開始する。
【００３１】
制御部１７は、複数のポンプ装置１２Ａ，１２Ｂの運転状況に基づき、凍結防止処理において運転中ポンプを停止して運転中ポンプと前記停止ポンプを入れ替えるポンプ入替処理を行う。例えば、制御部１７は、凍結防止制御において、低温ポンプ以外に、運転している運転中ポンプがある場合、当該運転中ポンプを停止して、低温ポンプを起動する、ポンプ入替処理を行う。このポンプ入替処理により、ポンプ装置の運転台数が維持される。
【００３２】
制御部１７は、ポンプ入替処理として、例えば凍結防止運転中または通常運転中ポンプの温度が、第２閾値Ｔ２以上である場合には、運転中ポンプを停止して、停止されていた低温ポンプを起動する。一方、制御部１７は、凍結防止運転中のポンプ温度が第２閾値Ｔ２未満である場合には、運転周波数を上げるプレ入替運転を行うことで、温度上昇させる。そして、プレ入替運転により運転中ポンプの温度が第２閾値Ｔ２以上となったら運転を停止し、代わりに低温ポンプを起動して切替え運転を行う。プレ入替運転において、例えば周波数一定にて凍結防止運転をしていた場合には、例えば目標圧一定制御に切替えることにより周波数を上げ、あるいは周波数を所定時間毎に所定の増加割合で周波数を上昇させる。なお、凍結防止運転における周波数は、通常運転における小水停止運転周波数を上限とする。
【００３３】
なお、ポンプ入替後の低温ポンプの運転条件は、ポンプ入替前の運転中ポンプの運転状況に対応させる。例えば運転中ポンプが通常運転中であった場合には、当該運転中ポンプの通常運転の条件を引き継いで運転する。運転中ポンプの運転状態が凍結防止用の周波数一定運転であった場合には、入替後の低温ポンプは当該凍結防止運転の条件を引き継ぎ、周波数一定にて運転する。
【００３４】
制御部１７は、凍結防止制御において、通常運転制御を優先することとする。例えば、凍結防止運転中に、通常運転におけるポンプ起動条件を満たした場合には、当該通常運転制御における運転条件に切替えて運転する。
【００３５】
以下、２台のポンプ装置を、最大運転台数１台として、交互運転する場合の具体例について、図２乃至図４を用いて説明する。図２は、２台のポンプ装置１２Ａ，１２Ｂが共に停止していた場合に、いずれか一方が低温ポンプである場合を示す。例えば図２に示すように、例えば２台のポンプ装置１２Ａ，１２Ｂが停止している場合（ＳＴ２１）に、一方のポンプ装置１２Ａの温度ＴＨ１を検出し、検出温度ＴＨ１が凍結防止運転基準温度である第１閾値Ｔ１未満の場合（ＳＴ２２）、ポンプ装置１２Ａを起動し、凍結防止運転として、例えば周波数一定にて運転する（ＳＴ２３）。そして、凍結防止運転中のポンプ装置１２Ａの温度ＴＨ１が所定の停止基準温度である第２閾値Ｔ２以上になったら（ＳＴ２４）、凍結防止運転を停止する（ＳＴ２１）。
【００３６】
また、制御部１７は、もう一方のポンプ装置１２Ｂの温度ＴＨ２を検出し、検出温度ＴＨ２が第１閾値Ｔ１以上である場合には（ＳＴ２５）、ポンプ装置１２Ｂは停止したままとする（ＳＴ２６）。
【００３７】
なお、上記実施形態においては、ポンプ装置１２Ａのみが低温ポンプである場合を説明したが、ポンプ装置１２Ｂのみが低温ポンプである場合も同様であり、検出温度ＴＨ２が第１閾値Ｔ１未満である場合に、ポンプ装置１２Ｂを起動して凍結防止運転を開始し、検出温度ＴＨ２が第２閾値Ｔ２以上になったら、ポンプ装置１２Ｂの凍結防止運転を停止する。
【００３８】
図３は、２台のポンプ装置１２Ａ，１２Ｂがいずれも停止中であって、２台とも、所定の第１閾値Ｔ１を下回る低温ポンプである場合を示す。図３に示すように、２台のポンプ装置１２Ａ，１２Ｂがいずれも停止中であって、ポンプ装置１２Ｂの検出温度ＴＨ２も第１閾値Ｔ１未満である場合（ＳＴ２７）、すなわち２台とも第１閾値Ｔ１を下回った場合には、凍結防止運転をしていたポンプ装置１２Ａを停止して、運転ポンプを入れ替える入れ替え処理を行う。具体的には、先に凍結防止運転をしていた運転中のポンプ装置１２Ａについて、運転条件を変更し、例えば目標圧一定制御として周波数を上げることで、温度を上昇させる（ＳＴ２８）。そして、ポンプ装置１２Ａの検出温度ＴＨ１が所定の停止基準温度である第２閾値Ｔ２以上になったら（ＳＴ２９）、ポンプ装置１２Ａの凍結防止運転を停止し（ＳＴ３１）、ポンプ装置１２Ｂを起動して凍結防止運転を開始する（ＳＴ３２）。そして、ポンプ装置１２Ｂの検出温度ＴＨ２が上昇して第２閾値Ｔ２以上となったら（ＳＴ３３）、ポンプ装置１２Ｂの凍結防止運転を停止する（ＳＴ３４）。
【００３９】
なお、運転中ポンプが、凍結防止運転中ではなく、通常の運転条件に基づく給水運転中であった場合には、当該給水運転の条件を引き継いで運転する。なお、ポンプ装置１２Ａ、１２Ｂの検出温度ＴＨ１、ＴＨ２がいずれも第１閾値Ｔ１以上であればポンプ装置１２Ａ，１２Ｂの運転状態はそのまま維持し、例えば停止中の場合は停止したままとする。
【００４０】
次に、１台のポンプ装置１２Ａが運転中で、もう１台のポンプ装置１２Ｂが停止中の場合について、図４を参照して説明する。例えばポンプ装置１２Ａが運転中で（ＳＴ４１）、もう１台のポンプ装置１２Ｂが停止中の場合には（ＳＴ４５）、制御部１７は、まず２台のポンプ装置の温度ＴＨ１、ＴＨ２を検出し、運転中ポンプであるポンプ装置１２Ａの検出温度ＴＨ１が第２閾値Ｔ２以上であり、かつ、停止中ポンプであるポンプ装置１２Ｂの温度ＴＨ２が第１閾値Ｔ１未満である場合には（ＳＴ４２）、運転中ポンプと停止中ポンプを入れ替えて運転するポンプ入れ替え処理を行う。具体的には、例えば、通常運転中または凍結防止運転中であって温度が第２閾値以上であるポンプ装置１２Ａを停止し（ＳＴ４３）、停止していたポンプ装置１２Ｂを起動し（ＳＴ４４）、入替前のポンプ装置１２Ａの運転条件で、運転する。
【００４１】
一方、１台のポンプ装置１２Ａが運転中で、もう１台のポンプ装置１２Ｂが停止中の場合、運転中ポンプの検出温度ＴＨ１がＴ１未満で、ポンプ装置１２Ｂの検出温度ＴＨ２がＴ１上だった場合、すなわちＳＴ４２に該当しない場合、そのままの状態を維持し、ポンプ装置１２Ａは運転を継続し（ＳＴ４１）、ポンプ装置１２Ｂは停止したままとする（ＳＴ４５）。
【００４２】
また、１台のポンプ装置１２Ａが運転中で、もう１台のポンプ装置１２Ｂが停止中の場合に、ポンプ装置１２Ａ，１２Ｂの検出温度ＴＨ１，ＴＨ２が両方とも第１閾値Ｔ１未満の場合には、制御部１７は、プレ入替運転を行ってからポンプを入れ替える。すなわち、既に運転している運転中ポンプであるポンプ装置１２Ａの運転条件を変更して温度上昇を促進させ、当該ポンプ装置１２Ａの温度が第２閾値Ｔ２以上となったら停止し、停止していたポンプ装置１２Ｂを運転する。通常運転中の運転中のポンプ装置が低温ポンプである場合には、その通常運転を継続する。
【００４３】
本実施形態にかかる給水装置１０によれば、温度センサを用いる簡単な構成にて、凍結防止が可能となる。したがって、例えば高価な加熱装置を用いる場合と比べて低コストで実現できる。また、温度に応じた周波数制御をすることで、外気温が比較的高い凍結防止運転時には従来のヒータを使用した凍結防止に比べて電力消費を抑えることができる。さらに、ポンプ入替処理を行うことで、たとえ消費電力が最大値以下であっても、最大運転台数維持することができ、最大運転台数の設定に応じた運転が可能であり、ユーザの仕様に応じた制御が可能である。
【００４４】
さらに、給水装置１０によれば、インバータに搭載された温度センサを兼用することにより凍結防止のための構成を追加する必要がなく、より安価に実現できる。
【００４５】
なお、本発明は上記実施形態に限られるものではない。例えば上記実施形態において、２台のポンプ装置１２Ａ、１２Ｂを備える構成を例示したが、これに限られるものではなく、ポンプ装置を３台、あるいは４台以上、備える構成であってもよい。例えば他の実施形態として図６に示す給水装置１０Ａは、３台のポンプ装置１２Ａ，１２Ｂ，１２Ｃを備える。この場合、制御部１７は、例えば、複数台の停止中のポンプ装置を起動する場合には、起動順番は、温度の低いポンプ装置から順番に起動するように制御する。
【００４６】
また、制御部１７は、複数台のポンプを運転中に、ポンプ入替制御を行う場合には、温度の高いポンプ装置から順番に減台する。
【００４７】
具体的には、例えば２台以上のポンプを運転している状態で、第１閾値Ｔ１未満の低温ポンプがある場合、その他の運転中のポンプのうち、最も温度が高いポンプ装置の温度が第２閾値Ｔ２以上であれば停止し、第２閾値Ｔ２未満である場合には周波数をあげて第２閾値Ｔ２以上になったら停止し、停止していた低温ポンプを起動して、ポンプの入れ替えをする。なお、例えば２台以上のポンプを通常運転している場合、一方が定格運転であり、他方が変速運転であるような場合には、より温度の高い定格運転中のポンプ装置を停止し、変速運転していたポンプ装置を定格運転とし、新たに起動する低温ポンプ装置は、変速運転していたポンプ装置の運転条件で、変速運転するように、制御してもよい。
【００４８】
上記第１実施形態においては、運転台数を維持するようにポンプ入替処理を行う例を示したが、最大運転台数の設定によっては、ポンプ入替処理をせずに、低温ポンプを起動して増台するように制御してもよい。例えば、複数台のポンプ装置のいずれかが第１閾値Ｔ１を下回ったら、当該ポンプ装置を起動するように制御してもよい。この場合にあっても、例えばインバータに搭載された温度センサを用いることで、低コストにて、凍結防止の実現が可能である。
【００４９】
上記第１実施形態において、インバータに搭載された温度センサを兼用する例を示したが、これに限られるものではなく、例えば温度センサ１６Ａ，１６Ｂは制御盤１９やポンプ部２２Ａ，２２Ｂ、あるいは配管に、設けてもよい。温度センサ１６Ａ，１６Ｂは例えばポンプ内の水の温度を直接的または間接的に検出する。例えば他の実施形態として図６に示すように、ポンプ装置１２Ａ，１２Ｂに温度センサ１６Ａ，１６Ｂが設けられている。この場合にあっても、温度センサ１６Ａ，１６Ｂを用い、低コストにて凍結防止が可能である。
【００５０】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５１】
１０…給水装置、１０Ａ…給水装置、１２（１２Ａ，１２Ｂ，１２Ｃ）…ポンプ装置、１３…圧力センサ（圧力検出部）、１４（１４Ａ、１４Ｂ、１４Ｃ）…流量センサ、１５（１５Ａ，１５Ｂ，１５Ｃ）…インバータ、１６（１６Ａ、１６Ｂ、１６Ｃ）…温度センサ、１７…制御部、１８…記憶部、１９…制御盤、２１（２１Ａ，２１Ｂ，２１Ｃ）…モータ、２２（２２Ａ，２２Ｂ，２２Ｃ）…ポンプ部、Ｔ１…第１閾値、Ｔ２…第２閾値。
【図１】
2020139479.tif 000003
【図２】
2020139479.tif 000004
【図３】
2020139479.tif 000005
【図４】
2020139479.tif 000006
【図５】
2020139479.tif 000007
【図６】
2020139479.tif 000008